(57)【要約】【課題】起伏ロープの切断に起因するジブの転倒を防止することができるジブクレーンのジブ転倒防止装置を提供することを目的とする。【解決手段】ジブ１起伏用の起伏ドラム６から導出された起伏ロープ７が起伏シーブ４に巻回してジブ先端エコライザ８と起伏エコライザ３０に巻装されて、ジブ１の起伏角度が可変調節可能なジブクレーンにおいて、並列に配置された２個の起伏ドラム６ａ，６ｂから導出された起伏ロープ７ａ，７ｂを複数の起伏シーブ４ａ〜４ｊとジブ先端エコライザ８側のシーブ８ａ〜８ｊに一つおきに巻装したことにより、ジブ１の起伏角度を可変調節する機構を２系統に構成したジブクレーンのジブ転倒防止装置にしてある。【選択図】図１
2005194036.tif 000002
【特許請求の範囲】
【請求項１】
ジブ起伏用の起伏ドラムから導出された起伏ロープが起伏シーブに巻回してジブ先端エコライザと起伏エコライザに巻装されて、ジブの起伏角度が可変調節可能なジブクレーンにおいて、
並列に配置された２個の起伏ドラムから導出された起伏ロープを複数の起伏シーブとジブ先端エコライザ側のシーブに一つおきに巻装したことにより、ジブの起伏角度を可変調節する機構を２系統に構成したことを特徴とするジブクレーンのジブ転倒防止装置。
【請求項２】
旋回台上に基端がピン支持されたジブと、旋回台上に配置された起伏ドラムから導出された起伏ロープがガントリフレームの頂部に配設された複数の起伏シーブに巻回してジブ先端エコライザと起伏エコライザに巻装され、該ジブ先端エコライザに連結されたペンダントロープの他端部がジブの先端部に配置されたジブ根付に固定されて起伏角度を可変調節可能なジブクレーンにおいて、
並列に配置された２個の起伏ドラムから導出された２本の起伏ロープを複数の起伏シーブとジブ先端エコライザ側のシーブに一つおきに巻装して、起伏エコライザで交叉させたことにより、ジブの起伏角度を可変調節する機構を２系統に構成したことを特徴とするジブクレーンのジブ転倒防止装置。
【請求項３】
前記２本の起伏ロープは、何れか１本だけでジブの起伏角度を可変調節することを可能とした請求項２に記載のジブクレーンのジブ転倒防止装置。
【発明の詳細な説明】
【技術分野】
【０００１】
本発明はジブクレーンのジブ転倒防止装置に関し、特には浚渫作業船とか建設工事に用いられて起伏ロープを使用して起伏角度の調節が行われるジブクレーンにおける起伏ワイヤロープの切断に起因するジブの転倒を防止するものである。
【背景技術】
【０００２】
従来から浚渫作業やその他の基礎工事における建設工事用として用いられているジブ起伏式のクレーンは、作業範囲を調整するためにジブの起伏角度が可変調節可能となっている。通常作業での起伏角度は下限３０度から上限７２〜８５度程度であり、これら下限及び上限位置ではリミットスイッチによってジブの起伏ロープの巻き上げと繰り出しが制限される。
【０００３】
特許文献１には、ジブが起立した際に該ジブの先端部が前方側へ移動させる作用が働いて後方への転倒を防止できるようにしたジブクレーンのジブ転倒防止装置が開示されている。即ち図４に示すジブ起伏式のクレーンにおけるジブ１の腹面側に沿わせてそのジブ１の先端部１ａから基端部１ｂに緊張索１０を張架して、ジブ１の基端部１ｂ近傍に該緊張索１０に常時張力を加えるための緊張手段１５を設けてある。かかる構成によれば、ジブ１の基端部１ｂの緊張手段１５によって緊張索１０に所要の張力が常時付加されていることにより、上限位置まで起立した状態のジブ１には起伏作動側に負荷が作用するので、例え突風を受けてもジブ１が後方に転倒する虞をなくしてジブクレーンの安全性を高めることができる。
【特許文献１】特開平６−１２７８９１号公報
【発明の開示】
【発明が解決しようとする課題】
【０００４】
前記浚渫用もしくは建設用として使用されるジブ起伏式のクレーンは、製作時に風荷重を盛り込んで設計されているものの突風等の予想外の風の影響を受けて、或いはジブ起伏ロープの切断によって転倒する虞がある。ジブの起伏角度に関しては前記したように下限及び上限位置でリミットスイッチが働いて起伏ロープの動作を制御することができるが、仮に起立上限位置で強力な突風を受けるとジブが転倒する危険性が生じる。また、何より起伏ロープの切断による転倒防止には何らの対策もなされていないのが実情である。
【０００５】
前記特許文献１によれば、ジブ１の基端部の緊張手段１５により緊張索１０に張力を付加することにより、起立した状態のジブ１に負荷を作用させてジブ１の後方への転倒を防止できるが、起伏ロープ及び緊張索の切断によるジブ転倒を防止することはできない。
【０００６】
本発明はこのような問題点を解決して、従来何らの対策も施されていなかった起伏ロープの切断に起因するジブの転倒を防止することができるジブクレーンのジブ転倒防止装置を提供することを目的とするものである。
【課題を解決するための手段】
【０００７】
本発明は上記目的を達成するために、ジブ起伏用の起伏ドラムから導出された起伏ロープが起伏シーブに巻回してジブ先端エコライザと起伏エコライザに巻装されて、ジブの起伏角度が可変調節可能なジブクレーンにおいて、並列に配置された２個の起伏ドラムから導出された起伏ロープを複数の起伏シーブとジブ先端エコライザ側のシーブに一つおきに巻装したことにより、ジブの起伏角度を可変調節する機構を２系統に構成したジブクレーンのジブ転倒防止装置構成にしてある。
【０００８】
具体的には並列に配置された２個の起伏ドラムから導出された２本の起伏ロープを複数の起伏シーブとジブ先端エコライザ側のシーブに一つおきに巻装して、起伏エコライザで交叉させてある。２本の起伏ロープは、何れか１本だけでもジブの起伏角度を可変調節することが可能となっている。
【発明の効果】
【０００９】
本発明によって得られたジブクレーンのジブ転倒防止装置によれば、並列に配置された２個の起伏ドラムから導出された２本の起伏ロープを複数の起伏シーブとジブ先端エコライザ側のシーブに一つおきに巻装して起伏エコライザで交叉させて、ジブの起伏角度を可変調節する機構を２系統に構成したことにより、何れか一方の起伏ロープが切断してもジブの転倒を防止することができるジブクレーンのジブ転倒防止装置が提供される。よって、起伏ロープの切断によるジブクレーンの転倒を効果的に防止して、フューエルセーフを実現することができる。
【発明を実施するための最良の形態】
【００１０】
以下本発明にかかるジブクレーンのジブ転倒防止装置の最良の実施形態を説明する。図１は本発明のジブ転倒防止装置が付設されたジブクレーンを示す側面図であり、ジブ１は旋回台２上に基端がピン支持され、同旋回台２上に配置された起伏ドラム６から導出された起伏ロープ７がガントリフレーム３の頂部に配設された複数の起伏シーブ４に巻回してジブ先端エコライザ８と起伏エコライザ３０に巻装されている。このジブ先端エコライザ８に連結されたペンダントロープ９の他端部はジブ１の先端部に配置されたジブ根付１１に固定されている。
【００１１】
１２，１３，１４は操作用ワイヤであって夫々シーブ１６，１７，１８を介して旋回台２上に配備されたウインチ１９，２０，２１に連結されており、該操作用ワイヤ１２，１３，１４の他端部は、ジブ１先端部に配置されたシーブ２２，２３，２４から吊り下げられて、各々フック２５，２６，２７の降下と上昇操作を行う構成となっている。また、シーブ２２へ操作用ワイヤ１２，１３を配備して、フック２５に代えて、グラブバケット（図示略）を吊支して、その降下と上昇及び開閉操作を行うようにしてもよい。
【００１２】
起伏ドラム６は、図２の要部平面図に示すように並列に配置された２個の起伏ドラム６ａ，６ｂとから構成されている。５ａは起伏ドラム６ａ用の起伏根付であり、５ｂは起伏ドラム６ｂ用の起伏根付である。従って起伏ドラム６ａ，６ｂから夫々前記起伏ロープ７が導出されている。なお、この起伏ドラム６ａ，６ｂを脱着自在なカップリングで連結することにより、起伏時のバランスを機械的に同調させることもできる。
【００１３】
図３は起伏ロープ７ａ，７ｂが複数の起伏シーブ４ａ〜４ｊ、ジブ先端エコライザ８側のシーブ８ａ〜８ｊ及び起伏エコライザ３０に巻装された状態を示す要部拡大斜視図であり、同図に示したように起伏ドラム６ａから導出された起伏ロープ７ａは、シーブ４ｂ，８ｂ，４ｄ，８ｄを介して起伏エコライザ３０に巻装され、更にシーブ８ｆ，４ｆ，８ｈ，４ｈ，８ｊ，４ｊを介して起伏根付５ａに連結されている。他方の起伏ドラム６ｂから導出された起伏ロープ７ｂは、シーブ４ｉ，８ｉ，４ｇ，８ｇを介して起伏エコライザ３０に巻装され、更にシーブ８ｅ，４ｅ，８ｃ，４ｃ，８ａ，４ａを介して起伏根付５ｂに連結されている。従って両起伏ロープ７ａ，７ｂは、複数の起伏シーブ４ａ〜４ｊとジブ先端エコライザ８側のシーブ８ａ〜８ｊに一つおきに巻装されて起伏エコライザ３０で交叉している。
【００１４】
上記したように２個の起伏ドラム６ａ，６ｂから夫々起伏ロープ７ａ，７ｂが別々に導出されており、これによって２本の起伏ロープ７ａ，７ｂによってジブ１の起伏角度を可変調節する機構が２系統構成されている。この起伏ロープ７ａ，７ｂは何れか１本だけであってもジブ１の起伏角度を可変調節することが可能である。
【００１５】
かかる構成によるジブ転倒防止装置によれば、各種作業船とか建設工事において旋回台２上に基端がピン支持されたジブ１を所定角度になるように設定し、旋回台２上に配備されたウインチ１９，２０，２１を起動することによってジブ１先端部に配置されたシーブ２２，２３，２４から吊り下げられた操作用ワイヤ１２，１３，１４の降下と上昇が行われてフック２５，２６，２７の上下駆動を行い、或いはグラブバケット（図示略）の開閉操作及び上下動作を行い、荷役作業，浚渫作業その他の所望の作業が実施される。
【００１６】
次にジブ１の起伏角度の変更と調節を行う場合の動作を以下に説明する。先ずジブ１の起伏角度を小さくしてジブを水平方向に下げる場合には、起伏ドラム６ａ，６ｂの両方を起動して起伏ロープ７ａ，７ｂの両方を繰り出すことにより、各起伏ロープ７ａ，７ｂが一つおきに巻装された複数の起伏シーブ４ａ〜４ｊとジブ先端エコライザ８側のシーブ８ａ〜８ｊに沿って伸張方向に動作してジブ先端エコライザ８に連結されたペンダントロープ９が下方方向に移動し、ジブ１の起伏角度を小さくすることができる。ジブ１の起伏角度を大きくしてジブを鉛直方向に上げる場合には、同様に起伏ドラム６ａ，６ｂの両方を起動して起伏ロープ７ａ，７ｂの両方を起伏ドラム側に巻き上げることにより、各起伏ロープ７ａ，７ｂが一つおきに巻装された複数の起伏シーブ４ａ〜４ｊとジブ先端エコライザ８側のシーブ８ａ〜８ｊに沿って短縮方向に動作してジブ先端エコライザ８に連結されたペンダントロープ９が上昇方向に移動し、ジブ１の起伏角度を大きくすることができる。なお、片側の起伏ロープ７ａ又は７ｂのいずれかが切断した場合でも、起伏ドラム６ａ又は６ｂのどちらか一方を起動してジブ１の下降、上昇を行うことができる。
【産業上の利用可能性】
【００１７】
以上詳細に説明したように、並列に配置された２個の起伏ドラムから導出された２本の起伏ロープを複数の起伏シーブとジブ先端エコライザ側のシーブに一つおきに巻装して起伏エコライザで交叉させてジブの起伏角度を可変調節する機構を２系統に構成したため、何れか一方の起伏ロープが切断してもジブの転倒を防止することができる。従って浚渫作業船とか杭打ちその他の基礎工事における建設工事用として用いられているジブ起伏式のクレーンに広く利用することができる。
【図面の簡単な説明】
【００１８】
【図１】本発明のジブ転倒防止装置が付設されたジブクレーンを示す側面図。
【図２】図１の要部平面図。
【図３】本発明の要部拡大斜視図。
【図４】従来のジブ起伏式のクレーン例を示す側面図。
【符号の説明】
【００１９】
１…ジブ
２…旋回台
３…ガントリフレーム
４，４ａ〜４ｊ…（起伏シーブ側の）シーブ
５ａ，５ｂ…起伏根付
６，６ａ，６ｂ…起伏ドラム
７，７ａ，７ｂ…起伏ロープ
８…ジブ先端エコライザ
８ａ〜８ｊ…（ジブ先端エコライザ側の）シーブ
９…ペンダントロープ
１１…ジブ根付
１２，１３，１４…操作用ワイヤ
１６，１７，１８，２２，２３，２４…シーブ
１９，２０，２１…ウインチ
２５，２６，２７…フック
３０…起伏エコライザ
【図１】
2005194036.tif 000003
【図２】
2005194036.tif 000004
【図３】
2005194036.tif 000005
【図４】
2005194036.tif 000006